Podtech/llm-jp-corpus-v4-ja_patent huggingface dataset:
(57)【要約】【課題】  法人または団体等が運営する駐輪場を事前に予約し利用料金を決済可能にするとともに、駐輪場としての設備がない空き地などを有人管理のもとに駐輪場として運営することをWEB上で実現できる予約・料金精算システムを提供する。【解決手段】駐輪場の登録を希望する法人または団体等が予約・料金精算システムに、駐輪場の情報および諸条件を登録しインターネットで予約を募る。駐輪場の利用希望者は利用希望日を選択して予約する。この予約に対して駐輪場の貸出を希望する法人または団体が承認した時点で事前登録されたクレジットカード等の決済が完了する。利用者に駐輪場の使用にあたっての情報が開示される。本発明はインターネット上の駐輪場のWEBによる予約・料金精算システムである。【選択図】図１
2014142680.tif 000002
【特許請求の範囲】
【請求項１】
駐輪場の登録を希望する法人、団体または個人が予約・料金精算システムに、駐輪場の情報および諸条件を登録しインターネットで予約を募る手段と、駐輪場の利用希望者は利用希望日を選択して予約する手段と、この予約に対して駐輪場の貸出を希望する法人または団体が承認した時点で事前登録されたクレジットカード等の決済が完了する手段と、利用者に駐輪場の使用にあたっての情報が開示される手段とを有するインターネット上の駐輪場のWEBによる予約・料金精算システム。
【発明の詳細な説明】
【技術分野】
【０００１】
本発明は、駐輪場の貸出を希望する者と駐輪場の利用を希望する者がWEB上に登録することによって検索される、インターネット上のWEBによる予約・料金精算システムに関するものである。
【背景技術】
【０００２】
その利便性から自転車を利用する者が年々増加してきている。しかし、自転車を常時使用するのではなく必要に応じて使用する者には自転車の保管場所等を確保する問題が生じやすく、特に駅前などは放置自転車の問題が深刻化している。他方、既存の駐輪場や駐輪場として利用できる空き地などを活用することを希望する者も多い。
本発明は、このような要望に応えるため、駐輪場の情報を登録することによって、利用できる駐輪場を検索できるWEBによる予約・料金精算システムを提供するものである。
【先行技術文献】
【特許文献】
【０００３】
本発明の先行となる技術文献は特許文献および非特許文献にも現在のところ見つかっていない。
【発明の概要】
【発明が解決しようとする課題】
【０００４】
法人または団体等が運営する駐輪場を事前にまたは即時に予約し利用料金を決済可能にするとともに、駐輪場としての設備がない空き地などを有人管理のもとに駐輪場として運営することをWEB上で実現できる予約・料金精算システムを提供する。
【課題を解決するための手段】
【０００５】
本発明は、駐輪場の登録を希望する法人または団体、個人が予約・料金精算システムに、駐輪場の情報および諸条件を登録しインターネットで予約を募る手段と、駐輪場の利用希望者は利用希望日を選択して予約する手段と、この予約に対して駐輪場の貸出を希望する法人または団体が承認した時点で事前登録されたクレジットカード等の料金精算の決済が完了する手段と、利用者に駐輪場の使用にあたっての情報が開示される手段とを有するインターネット上の駐輪場の予約・料金精算システムである。
【０００６】
駐輪場を利用する自転車の車種は、俗称ママチャリ、実用車、子供車などの一般車、マウンテンバイクやロードバイクなどのスポーツ用競技用自転車、あるいは電動アシスト自転車、二輪駆動自転車、折りたたみ自転車、三輪自転車などがあげられるが、これらに限定するものではない。
駐輪場は法人または団体が経営するものが好ましいが、空き地などを有人管理のもとに駐輪場として運営管理するものでもよい。駐輪場の情報および諸条件としては、例えば、所在地、規模、運営時間、利用期間、料金、利用できる車種などがあげられる。また利用者の個人情報としては氏名住所年齢性別、利用期間などがあげられるがこれらに限定するものではない。
クレジットカードによる決済に変えてWEBマネーや銀行振込等による決済を行うこともできる。
【発明の効果】
【０００７】
本発明の駐輪場の予約・料金精算システムは、駐輪場を運営する法人または団体等が駐輪場の情報等を予め登録し予約を募ると、利用希望者は利用希望日を選択し予約をすることができ、しかもクレジットカード等により利用料を即時に支払うことができ、駐輪場にも利用者にも短時間に希望が満たされるという利点がある。さらに、利用者の会員登録制システムにより、自転車の不法放置の軽減に貢献するという利点がある。
【図面の簡単な説明】
【０００８】
【図１】図１は、本発明のWEBシステムの１例を示す図である。
【発明を実施するための形態】
【０００９】
図に基づき本発明を説明する。
コンピューターを用いて構築されたインターネット上のWEBシステムにおいて、１．駐輪場貸主は駐輪場予約・料金精算WEBシステムに駐輪場の登録を行う。２．この登録内容を見た利用者は会員登録および駐輪場利用申込をWEBシステムにする。３．この申込をWEBシステムから受けた貸主は利用を承認する。４．WEBシステムで承認を知った利用者はWEBシステムに事前登録したクレジットカード等から支払いを行う。５．WEBシステムは駐輪場情報を利用希望者に開示するとともに、貸主には利用希望者の情報を開示する。６．利用者は利用当日に駐輪場を利用し、利用後退出する。７．WEBシステムは貸主には支払いを行う。
【産業上の利用可能性】
【００１０】
本発明のWEBシステムによれば、法人または団体等が運営する駐輪場、または空き地などを有人管理のもとに駐輪場として利用する際に、貸主も利用者も駐輪場の情報を容易かつ安価に短時間でWEB上に実現できるシステムを提供することが可能である。
【図１】
2014142680.tif 000003
(57)【要約】      （修正有）【課題】眼鏡を掛けた状態と、眼鏡枠を外した裸眼状態をワンタッチの操作で瞬時に切り換える事が可能な眼鏡を提供する。【解決手段】眼鏡枠（リム）の智３と眼鏡フレーム（テンプル）の智４を連結する蝶番５を構成し、眼鏡フレーム（テンプル）２は通常の位置状態で、眼鏡枠の智３と眼鏡フレームの智４を介して、眼鏡枠（リム）１のみ人力でスライド回転（主に上部側に１８０度）できるようにされた一体式構造とすることを特徴とする。【選択図】図２
2014089430.tif 000002
【特許請求の範囲】
【請求項１】
（イ）眼鏡枠（リム）と眼鏡フレーム（テンプル）との取り合いにおいて、眼鏡フレーム（テンプル）は通常の位置状態で、眼鏡枠（リム）の智と眼鏡フレーム（テンプル）の智を介して、眼鏡枠（リム）のみが、スライド回転（主に上部側に１８０度）できる用にされた一体式構造とする。角度については限定しない。
（ロ）眼鏡枠（リム）の智と眼鏡フレーム（テンプル）の智とは、蝶番等の治具、器具等により取り付ける構造仕様として、蝶番等の（器具、治具等）の材質、形状、大きさ、重さ、構造形式、色彩等これらについては限定しない。
（ハ）眼鏡枠（リム）の数については限定しない。眼鏡フレーム（テンプル）の智とスライド回転できる構造であり、ワンタッチ操作で人力で作用する構造とする。
（ニ）眼鏡枠（リム）の智と眼鏡フレーム（テンプル）の智に使用する器具、治具等の材質、形状、大きさ、重さ、構造形式、色彩等これらについては限定しない。
（ニ）眼鏡枠（リム）の智と眼鏡フレーム（テンプル）の智を連結する蝶番等の材質、形状、大きさ、重さ、構造形式、色彩等これらについては限定しない。
【発明の詳細な説明】
【技術分野】
【０００１】この発明は、眼鏡を掛けた状態のまま眼鏡枠（リム）を上部側にスライド回転できる用にされた一体式眼鏡装置である。
【背景技術】
【０００２】従来眼鏡は大きさ、形状、材質、デザイン、色彩等々多岐に渡って千差万別数多くありました。
【発明が解決しようとする課題】
【０００３】これは次のような欠点があった。
例えば、老眼鏡を使用している人の場合、遠くは裸眼で生活上支障は来さないが、近くの新聞等の文字を見る場合どうしても老眼鏡が必要になり、使用した際この老眼鏡を掛けたまま歩行することは、大変危険であります。
その為に頭部にずらしたり，眼鏡を一時的に外して、結果的に何処に置いたか判らずに、何個も購入等してきました。其の為に眼鏡チェーンを眼鏡に取り付け対応してきましたが、面倒であり又チェーンが絡んだり、外れたりと苦慮してきました。
本発明はこれらの欠点をなくす為又老眼鏡に限らず全ての眼鏡使用者に対応してなされた、眼鏡フレームである。
【課題を解決する為の手段】
【０００４】眼鏡を掛けた状態のままで作業し、裸眼で行動したいときは、眼鏡枠をワンタッチで上側にスライド回転操作することで何時でも、必要なときに瞬時に利用できる用にされた眼鏡である。またサングラス等へのスライド回転もできる構造である。
【発明の効果】
【０００５】裸眼と老眼鏡また裸眼と老眼鏡以外の眼鏡着用した場合、面倒なくほとんど、手間かからず即対応できる様になった。又常に設置してあるので便利である。
【発明を実地する為の最良の形態】
【０００６】以下。本発明を実地する為の最良の形態について説明する。
裸眼で走行又はその他の行動をする場合老眼鏡の眼鏡枠（リム）を人力で操作して、上側スライド回転して利用するものとする。
老眼鏡を使用する場合同様に操作して、裸眼の上に逆スライド回転させれば即使用可能である。
老眼鏡に限らず全ての眼鏡使用者に即使用対応可である。
【図面の簡単な説明】
【０００７】
【図１】本発明の平面図である。
【図２】本発明の側面図である。
【符号の説明】
【０００８】１    レンズ眼鏡枠（リム）
２    本体フレーム（テンプル）
３    レンズ眼鏡枠（リム）の智
４    本体フレーム（テンプル）の智
５    レンズ眼鏡枠（リム）と本体フレーム（テンプル）を取り合う蝶番
６    レンズ眼鏡枠（リム）の智と本体フレーム（テンプル）の智を取り合う蝶番
【図１】
2014089430.tif 000003
【図２】
2014089430.tif 000004
(57)【要約】【課題】過去において未来情報を知るすべはなく、急な災害や救急時に事前に未来から未来情報の知らせがあり、十分な時間をもって対応できるよう量子論で解決する。【解決手段】   量子もつれ状態になった２個の光子の生成をある種の光学結晶にレーザー光を当て結晶から同時に出てくる双子の光子が量子のもつれになっていて、量子もつれ光子生成装置で光子を飛ばすか飛ばさないかの２進法により、時間を遡り、発生装置に戻る光子を２進法の未来文字情報で過去において解読する、以上の如く特徴を持つ量子もつれ光子生成装置利用2進法未来情報過去受信装置。【選択図】なし【特許請求の範囲】
【請求項１】
量子もつれ状態になった2個の光子の生成をある種の光学結晶にレーザー光を当て結晶から同時に出てくる双子の光子が量子のもつれになっていて、量子もつれ光子生成装置で光子を飛ばすか飛ばさないかの2進法により、時間を遡り、発生装置に戻る光子を2進法の未来文字情報で過去において解読する、以上の如く特徴を持つ量子もつれ光子生成装置利用2進法未来情報過去受信装置。
【発明の詳細な説明】
【技術分野】
【０００１】
本発明は、時間を遡る光子で未来情報を過去に転送する装置に関する。
【背景技術】
【０００２】
従来、未来情報はわからず急な災害等で多くの命が救えない状況を従来技術では、なすすべがなかった。
【０００３】
【非特許文献１】日経サイエンス2014年1月号44頁から55頁。
【発明の開示】
【発明が解決しようとする課題】
【０００４】
従来、未来情報はわからず過去の情報に頼るしかなかったが最新量子論で解決を試みる。   
【課題を解決するための手段】
【０００５】
量子もつれ光子生成装置で光子を飛ばすか飛ばさないかの2進法により、時間を遡り、発生装置に戻る光子を2進法の未来文字情報で過去において解読する。
【発明の効果】
【０００６】
過去において未来情報を知る。   
【発明を実施するための最良の形態】
【０００７】
量子もつれ状態になった2個の光子の生成をある種の光学結晶にレーザー光を当て結晶から同時に出てくる双子の光子が量子のもつれになっていて、量子もつれ光子生成装置で光子を飛ばすか飛ばさないかの2進法により、時間を遡り、発生装置に戻る光子を2進法の未来文字情報で過去において解読する、以上の如く特徴を持つ量子もつれ光子生成装置利用2進法未来情報過去受信装置。
【実施例】
【０００８】
上記の非特許文献と形態の如く実施される。
【産業上の利用可能性】
【０００９】
光子を過去に送って操作するデバイスは、量子情報技術の具体的なものであり、情報社会の進化を促し、災害、救急時に事前に未来から情報が過去に知らせがあり、十分な時間をもって対応でき、産業上の利用可能性は高いと解される。
(57)【要約】      （修正有）【課題】本のように暖かみを楽しむために折りたたみ式タブレットを提供する。【解決手段】パネルを２つに分け（１）タブレットを折りたためるようにする。（２）２つのパネルを連動させ本のようにする。（３）また、片方のパネルにパソコンのキーボードの配列を施す。これを使用するときは、タッチパネルで操作する。【選択図】図１
2014089731.tif 000002
【特許請求の範囲】
【請求項１】
タブレット端末
【発明の詳細な説明】
【技術分野】
【０００１】この発明はパソコンの折りたたみ式タブレットに関するものである。
【背景技術】
【０００２】従来、タブレット端末は平面である。
【先行技術文献】
【０００３】
【特許文献１】
【非特許文献１】
【発明の概要】
【発明が解決しようとする課題】
【０００４】これは次のような欠点があった。
（イ）タブレットを折りたたむことが出来なかった。
本発明は、以上のような欠点をなくすためになされたものである。
【課題を解決するための手段】
【０００５】パネルを２つに分けなければならない。
本発明は、以上の構成よりなるおりたたみ式タブレットである。
【発明の効果】
【０００６】（イ）本のような感覚でタブレットを楽しめる。
【図面の簡単な説明】
【０００７】
【図１】本発明の見取り図である。
【発明を実施するための形態】
【０００８】以下、本発明を実施するための最良の形態について説明する。
パネルを２つに分け（１）タブレットを折りたためるようにする。（２）２つのパネルを連動させ本のようにする。（３）また、片方のパネルにパソコンのキーボードの配列を施す。
本発明は、以上のような構造である。
これを使用するときは、タッチパネルで操作する。
【符号の説明】
【０００９】１  タブレット
２  パネル
３  スイッチ
【図１】
2014089731.tif 000003
(57)【要約】      （修正有）【課題】水と油の境界を油混じった揚げ粕、等でも誤動作しなく、正確に境界を判断するセンサーを簡単な構造で提供する。【解決手段】水と油を検出するセンサーについて、電子基盤は両面に配線面がある両面基盤とし、水と油に接する面には検出パターンを配置し、部品面は静電容量検出回路を配置する。検出パターン面にはフッ素樹脂（テフロン（登録商標））の薄い絶縁を設ける。フッ素樹脂の面は水と油が接する。全体は金属ケース１００で被う構造で金属は接地面となる。静電容量は検出パターン、フッ素絶縁面と接地の容量が測定される。基盤に検知パターン配置したため、検出棒、センサー配線リード線等が不要になる、と同時に正確な静電容量が測定できる。フッ素樹脂を絶縁材に使用したため、界面抵抗が少なく、各（水、油、揚げ粕等）液体の付着が少なく早く検出できる。【選択図】図１
2014089170.tif 000002
【特許請求の範囲】
【請求項１】
水油位置センサーについて、検出電極部がプリントパターンで構成され、パターン表面にテフロン（フッ素樹脂）等の薄く界面抵抗の少ない絶縁部を貼り付けた構造であり、プリント回路の検出面反対に静電容量センサー回路を構成された水油位置センサー
【発明の詳細な説明】
【技術分野】
【０００１】水と油を使った２層式フライヤーについて水と油の境界を正確に判断することを実現する。フライヤーは油に揚げ粕、等が水の層に落ちるので、このセンサーに付着しないことを実現する。
【背景技術】
【０００２】特開２００４−２８９７３の検出センサーの様に、現在のセンサーは検出棒等を使って水と油の電気抵抗の変化、又は静電容量の変化を検出して判断をしている。【０００３】  この場合、油に揚げ物の粕等が付着して水、油の検出が出来なくなり、清掃を随時必要になり、センサー機能が実現しなく、故障と判断される。【０００４】  検出棒等を使う場合は検出する大きさ、材料の問題で感度が微妙に変化する。【０００５】
【先行技術文献】
【特許文献】
【０００６】
【特許文献１】特開２００４−２８９７３（Ｐ２００４−２８９７３Ａ）
【非特許文献】
【０００７】
【非特許文献１】
【発明の概要】
【発明が解決しようとする課題】
【０００８】  水と油の境界を油混じった揚げ粕、等でも誤動作しなく、正確に境界を判断するセンサーを簡単な構造で提供する。
【課題を解決するための手段】
【０００９】静電容量検出センサー  図２（２０４）を使い、プリント基板の裏面にセンサー検出パターンを配置し表面は静電容量を検出するマイクロコンピータを配置する。
裏面は検出パターンの上にテフロン（フッ素樹脂）図２（２０３）等の薄い（０．１ｍｍ程度）絶縁面を設ける。この面が油、水と接し静電容量の変化を受ける。
電極  図２（２０８）はプリントパターンなので面積、数、位置が自由に設定できる。テフロン（フッ素樹脂）図２（２０３）が表面に接しているので付着抵抗、界面抵抗が少なく水、油の判断が迅速に実現できる。
【発明の効果】
【００１０】  近年のマイクロコンピュータの発達により、静電容量センサーが安価に実現でき
また小型化した。表面実装  図２（２０６）が普通になり、回路も小型化し５回路のセンサーを使い
水油の境界センサーが５０ｍｍ程度で実現し水油を使った２層式フライヤーに実装した。
テフロン（フッ素樹脂）センサー部  図２（２０３）表面のため、揚げ粕の付着も無く安定したセンサーが実現できた。
【図面の簡単な説明】
【００１１】
【図１】図１  １００  金属ケース  １０１  ケース開口部  １０２  センサー値シリアル通信配線パイプ  １０３  フッ素樹脂テープ  １０４  電極パターン１  １０５  電極パターン２  １０６  電極パターン３  １０７  電極パターン４
【図２】図２  ２０１  シリアル通信配線パイプ  ２０２  金属ケース  ２０３  フッ素樹脂テープ  ２０４  マイコン静電容量測定  ２０５  両面電子基盤  ２０６  表面実装部品  ２０７  開口部−油水接し面  ２０８  検出パターン  ２０９  油  ２１０  水
【発明を実施するための形態】
【実施例１】
【００１２】電子基盤には少なくても両面がパターンを形成できる図２（２０５）ものを使用する。表面は表面実装の部品  図２（２０６）で構成され、回路は表面のみで形成する、裏面には  検出パターン図１（１０４）のみが形成される。【００１３】裏面は突起が無く平面である。裏面部にはフッ素樹脂のテープ図２（２０３）等を貼り付ける。
検出基盤は全体を金属ケース図２（２０２）でカバーし水油に接しない構造にする。
検出部はテフロンに覆われた検出パターン図２（２０８）を水、油に接するように開口部図２（２０７）を設ける。
検出電極には静電容量測定  図２（２０４）のため、表面の回路配線はしない。
このユニットの測定結果は本体の制御ユニットにパイプ  図２（２０１）を通じシリアル通信でデータを送る。【００１４】図２  下部にはこの測定にあたっての電気的等価回路を示した。
【図１】
2014089170.tif 000003
【図２】
2014089170.tif 000004
(57)【要約】      （修正有）【課題】従来、プラグは入力用、出力用とも別に製造、販売されていた。電化製品にはプラグ付コードがある。しかしコードが短い場合などでコードの延長が必要となる。延長コードを作る場合、両端に入力用と、出力用プラグが必要となる。この時プラグが入力用しかない、または出力用しかないないとき買い足さなければならことが多々ある。さらに現場関係の方々などは間に合わないこともある。プラグがどちらか不要になった場合でも、ロスが発生しないプラグを提供する。【解決手段】プラグの不用廃棄や買い足しなど、手間や不経済を解決するためには２個のプラグ、入力用、出力用の機能を１個のプラグに集約して両用プラグができないものかと考えられた。そして両用を転換する部材の開発で両用可能なプラグを実現した。【選択図】図６
2014089809.tif 000002
【特許請求の範囲】
【請求項１】
入力用、出力用の切り替え可能な機能を備えた両用プラグ。
【請求項２】
入力用、出力用どちらへも転換できる部材を備えた請求項１記載の両用プラグ
【請求項３】
プラグの両端に一方を入力用、片方を出力用としての機能を備えた請求項１記載の      両用プラグ
【発明の詳細な説明】
【技術分野】
【０００１】
本発明はプラグに関するものである
【背景技術】
【０００２】
従来のプラグは出力用と入力用、2種類であった。
例えば、市販製品としてパナソニック電工のプラグ2種類  他メーカーも同様である。
【発明の概要】
【発明が解決しようとする課題】
【０００３】
プラグの入力と、出力を簡易な切り替えで器具の一本化で利便性と簡素化を図ること。
【課題を解決するための手段】
【０００４】
本発明は上記目的を達成するために、プラグ内の部材を切り替え可能な部材にして、簡単に入、出の方向転換できる機能を付加したものである。
【発明の効果】
【０００５】
本発明は、入力用、出力用を必要に応じて容易に切り替えて対処できることである。プラグの取り付け時、または購入時、入力用か、出力用か確認の必要もなくなり、どちらかに対応できること。従来は片方が不要になった場合、不用物となっていた。
しかし本発明は部材の方向を転換するのみでプラグの不用を有用に変えること。作業の効率化や、省資源化など図れるものである。
【図面の簡単な説明】
【０００６】
【図１】本発明の実施形態を示す単品部材
【図２】単品部材を２列並行に連結した部材
【図３】単品部材を逆方向で示した図
【図４】部材を入力用としてケースに装着した実施形態を示す
【図５】部材を逆方向へ向けた出力用図
【図６】部材を出力用としてケースに装着を示す
【図７】部材を出力用に装着したプラグの外観
【図８】部材を入力用に装着したプラグの外観
【図９】プラグのケース
【図１０】プラグケースのフタ
【発明を実施するための形態】
【０００７】
本発明の実施の形態を図１〜図１０に基づいて説明する。
図１はプラグの単品部材であり、入力、出力の両用機能を可能にしたものである。  ピン１が入力用、その先にスプリング性のある湾曲部３が対向してある、その先に出力用の口金部材２が向い合せにしてあり、外部から挿入されるプラグのピンをはさむ。  湾曲部３の上部にコード接続用プレート４とその中央部にネジ穴５がありコードをネジで固着する。以上の部材を一体形成した単品部材図１を２列にして中央部で絶縁体６により固着連結する。この２列にした部材図２をプラグケースに装着図４、  図３は図１を方向転換したものであり２列にしたものが図５である。
【０００８】
この状態でケースに装着したのが図６出力用プラグになる。２列にした部材図２をケースに装着したのが入力用プラグ図４となる。図１、図３は同一の単品部材で向きを替えた状態を示したもの。本発明の基本構造であり、これを２列にしてケースに挿入、入れる方向によって入力用、出力用が切り替えられるもの。図７は出力用プラグ、図８は入力用プラグ、図９はケース本体、図１０はケースフタ
以下、上記構成の動作を説明する。
【０００９】
図１の１，２，３，４，５の各要素で構成された単品部材を絶縁体６で２列に固着した部材図２をケース図９に装着する。ピン１をピン穴９からだして入力用プラグとなる。また単品部材図１を２列に固着し方向転換をした部材図５をケースに装着して図６の出力用プラグとなる。いずれもケースにフタ１０をして完成したのが図７、８である。
【００１０】
以上のように本発明は、同一ケース内に部材図２、５を方向転換することで入力用、出力用のプラグとして簡単に切り替えできるものである。
尚、他の方法として口金部材２を出力用としてケースに固定し、ここで入力用は口金部材２の後方へピン１を可動状態にとめておく、入力用として使用時はピン１を口金部材２の間を貫通しピン穴９から出して固定、入力用プラグとして使用できる。この他ケースの両端にピン穴９を設け、部材を摺動させて入力用、出力用、両用プラグになる。また１，２，３，４，５、の各要素を個別でケース内に用いても両用プラグとして可能である。    
【実施例】
【００１１】
上記の構成にしてなる本発明は従来、入力用、出力用、２種類必要であったが一種 類にできた。また従来のプラグでは片方不用になった場合は廃棄しなければならなかったが両用プラグでは片方へ転換できるので機器を有効、資源の保護などメリットは多大なものがある。
【産業上の利用可能性】
【００１２】
一品種になることで購入者は間違わずに買え、販売者は省スペースで売りやすくなるメーカーではラインの削減と省力化などに貢献できるものである。
【符号の説明】
【００１３】
１    ピン
２    口金部材
３    湾曲部
４    コード接続用プレート
５    ネジ穴
６    絶縁体
７    ケース
８    コード穴
９    ピン穴９
１０  フタのピン穴
１１  フタ
【図１】
2014089809.tif 000003
【図２】
2014089809.tif 000004
【図３】
2014089809.tif 000005
【図４】
2014089809.tif 000006
【図５】
2014089809.tif 000007
【図６】
2014089809.tif 000008
【図７】
2014089809.tif 000009
【図８】
2014089809.tif 000010
【図９】
2014089809.tif 000011
【図１０】
2014089809.tif 000012
【手続補正書】
【提出日】平成25年5月9日(2013.5.9)
【手続補正１】
【補正対象書類名】特許請求の範囲
【補正対象項目名】全文
【補正方法】変更
【補正の内容】
【特許請求の範囲】
【請求項１】
入力用、出力用の切り替え可能な両用プラグであって、入力用、出力用どちらへも転換できる部材を備えることによって、プラグの両端の内の一方を入力用、他方を出力用としての機能を備えたことを特徴とする両用プラグ。
(57)【要約】      （修正有）【課題】懸賞金等交付システムに更に広告管理システムを付随させた広告懸賞システムを提供する。【解決手段】広告物の発行元が当該広告に懸賞金等の当選番号を付し、当該広告を新聞等のいわゆる折り込みちらし等と同封してユーザーに対して交付することを目的として作成し、当選番号を社内のコンピューターに入力し、その際、当該広告が配布される地域を当選番号ごとにコンピューターに入力し、どの地域にどの当選番号が付された広告が配布されたのか、用意に検索できるよう入力する。更に広告が配布された後、ユーザーからの連絡としてハガキ等の郵便物または携帯端末等から電子メールで当選者の住所、氏名、年齢、性別といった個人情報が送られてくるが、これらの個人情報をコンピューターに備える各部において管理し、当該個人情報を元に次号以降の広告により高い広告宣伝効果を持たせる。【選択図】図１
2014089682.tif 000002
【特許請求の範囲】
【請求項１】
広告物等に付された当選番号を管理するため社内に設けられたコンピューターと、各ユーザーに設けられた端末とを備え、コンピューターには当選連絡があったユーザーの個人情報と当該個人情報を元に広告対象物を選定する機能を有することを特徴とする懸賞システム及び広告管理システム。
【発明の詳細な説明】
【技術分野】
【０００１】本発明は、広告紙面等に懸賞金番号を付し、当該番号を管理するコンピューターと、各ユーザーが使用する携帯端末等とを備えたＩＤ情報利用に係り、特に各ユーザーが利用できる懸賞システム及び広告管理システムに関する。
【背景技術】
【０００２】従来より、懸賞金や当選品（以下、「懸賞金等」という）に関する番号を広告物に付してユーザーに交付し、交付した一定期間後に当該番号を当選番号として発表し、ユーザーに懸賞金等を交付するシステムは存在した。【０００３】しかし、従来技術では懸賞金等の番号管理や交付するシステムだけに言及した発明のみであり、懸賞金等の交付に付随し、広告効果を活かすための管理システムにまで言及したものではなかった（特許文献１乃至４参照）。
【先行技術文献】
【特許文献】
【０００４】
【特許文献１】特許公開２０１０−８６３２０
【特許文献２】特許公開２０１０−２４４２０３
【特許文献３】特許公開２００９−２９４７２７
【特許文献４】特許公開２００９−２４５２９１
【発明の概要】
【発明が解決しようとする課題】
【０００５】そこで本発明は、上記のような従来のシステムには不足していた懸賞金等交付システムに更に広告管理システムを付随させ提供するものである。
【課題を解決するための手段】
【０００６】本発明は、まず広告物の発行元が当該広告に懸賞金等の当選番号を付し、当該広告を新聞等のいわゆる折り込みちらし等１と同封してユーザーに対して交付することを目的として作成し、当選番号を社内のコンピューター２の当選番号管理部３に入力する。【０００７】その際、当該広告が配布される地域を当選番号ごとにコンピューター２に入力し、どの地域にどの当選番号が付された広告が配布されたのか、用意に検索できるよう入力する。【０００８】広告が配布された後、一定期間後に懸賞金等の当選が発表され、ユーザーから当選の連絡としてハガキ等の郵便物または携帯端末等４から電子メール５で当選者の住所、氏名、年齢、性別といった個人情報が送られてくるが、これらの個人情報をコンピューター２に備える顧客管理部６に入力し、その後懸賞金等をユーザーに交付する。
【発明の効果】
【０００９】コンピューター２に備える広告物の交付管理部７に、次回以降、広告物を交付するにあたり、ユーザーの年齢、性別等の個人情報を考慮し、配布する地域や購買層を選別して、より広告効果の高い商品等の広告を掲載し、交付することにより、高い広告宣伝効果を期待することが可能となる。
【発明を実施するための形態】
【００１０】この発明の好ましい実施形態として、新聞等の紙媒体における折り込みちらし等として、又は電子メールによるメールマガジン等におけるバナー広告等に上記当選番号を付し、ユーザーに交付する形態が挙げられる。
【実施例】
【００１１】図１に示す方法にて本件発明を全国紙の折り込みちらしに対して使用した場合、従来無作為に行ってきたバラマキ広告等に比して、地域の住民の年齢層や嗜好をより効果的に管理することが可能となり、無駄なコストを抑え、且つ高い広告宣伝効果を得ることが可能となる。
【図面の簡単な説明】
【００１２】
【図１】この発明における懸賞システム及び広告管理システム
【符号の説明】
【００１３】１  当選番号が付された広告物
２  社内コンピューター
３  当選番号管理部
４  ユーザー端末
５  電子メール
６  顧客管理部
７  交付管理部
【図１】
2014089682.tif 000003
(57)【要約】【課題】携帯用靴べらはポケットに入れたり、バッグに入れて持ち運ぶ事になるが忘れる事があるのでこれを解消する。またキーホルダーに付けられる靴べらも存在するが、少々邪魔に感じる事もある。持ち歩かなくとも良いのが理想である。【解決手段】バインダーに使用されているような留め具を靴べらに取り付けて、これで靴の皮を夾んで靴べらを靴の中に収納する。この収納場所は靴のつちふまず付近に出来る隙間に入れてやると邪魔にならない。これで持ち運びを意識する事なく忘れる事もなくなる。【選択図】図１
2014054336.tif 000002
【特許請求の範囲】
【請求項１】
携帯用靴べらは忘れる事があるので留め具を取り付けて靴の中に収納する事で忘れる事が無くなる
【発明の詳細な説明】
【技術分野】
【０００１】
携帯用靴べらに留め具を取り付けて靴の中に収納できるようにした
【背景技術】
【０００２】
携帯用の靴べらはポケットやバッグに入れて持ち運ぶが忘れる事がある。
【先行技術文献】
【特許文献】
【０００３】
【特許文献１】特にない
【非特許文献】
【０００４】
【非特許文献１】特にない
【発明の概要】
【発明が解決しようとする課題】
【０００５】
携帯用靴べらを忘れないようにしたいと考えた
【課題を解決するための手段】
【０００６】
靴の中に収納できる靴べらならば忘れる心配が無い
【発明の効果】
【０００７】
靴の中にあるのだから忘れる心配は無い
【図面の簡単な説明】
【０００８】
【図１】１は留め具である。２は靴べらである。
【発明を実施するための形態】
【０００９】
靴の中で動かないように靴べらにバインダーのような留め具を付け加えた
【実施例】
【００１０】
靴の中に出来るつちふまず部分の隙間に差し込まれた靴べらは固定されるので歩行中に靴の中で動く事が無い
【産業上の利用可能性】
【００１１】
特にない
【符号の説明】
【００１２】
符号は使用していない
【図１】
2014054336.tif 000003
(57)【要約】【課題】今までの冷凍ソースや冷凍フレーク状のものは加熱処理を必要とし、そのまま調味に用いられるべきものではなかった。この発明とこれまでの冷凍ソースとの決定的な違いは、加熱処理を用いず冷凍のまま、そのままソースとして用いることができるものである。【解決手段】液体を冷凍させる際に、油脂分を加え、乳化、攪拌、を繰り返すとことで油脂分と空気を多く含んだ冷凍固形物が出来上がる。これは機械や手、またはハンマーなどで簡単に粉状に粉砕できる。形状が細かい粉状または粒状なのでそのまま調理に用いても常温や体温で容易に溶けるため、幅広く簡単に調理に使用することができる。【選択図】なし【特許請求の範囲】
【請求項１】
液体に油脂分を加え、攪拌すると乳化状態となる。この攪拌→乳化→冷凍を冷凍させながら繰り返すことにより、冷凍固形物は全体に油脂分と空気が入った状態の冷凍固形物となる。液体の濃度によってはゼラチンや寒天、または澱粉などであらかじめ濃度を付けることによって乳化冷凍状態を更に容易に作り出すことができる。この冷凍固形物を機械やハンマー状のもので粉砕、攪拌することにより容易に細かい粒、または粉状のソースフレークを作ることができる。また細かく切った具材などをこの中に加え一緒にフレークや粒状にすることも可能である。
冷凍パスタフレークは、液体に油脂分やゼラチンや寒天などを加え、冷凍乳化させることで、冷凍後のソースの粉砕が非常に簡単になり、また細かい粒や粉状に形成されるためそのまま食材にふりかけるだけで、常温で溶けていき非常に冷たい料理を提供することが可能になるものである。
トマトソースに調味料などと一緒に油脂分を加えて、機械や手作業などで、攪拌、乳化、冷凍を繰り返して行き、作られた冷凍固形物を粉砕、攪拌して出来た冷凍ソースフレークを茹でた麺を冷水などで冷やし、その上にかけるだけで冷製麺が出来上がったり、生の魚介類の上にそのままふりかけてカルパッチョなどの料理に用いたり、ゆで肉などを冷やしたものの上に振りかけてソースとしたり、お豆腐の上に振りかけて洋風の冷奴、またはサラダに振りかけて冷たいサラダを作ることができるなど様々な料理を作ることができる。
【発明の詳細な説明】
【技術分野】
【０００１】
調味及び料理用冷凍ソースフレーク
【背景技術】
【０００２】
夏に需要の高い冷製パスタをはじめとする冷製麺、カルパッチョやコールドミート、またはサラダなどのソースとして冷凍状態のまま、
フレーク状のソースをそのまま食材にふりかけて、容易に料理を完成できるものである。
【先行技術文献】
【特許文献】
【０００３】
【特許文献１】特許公開平９−２８５２７８
【特許文献２】特許公開平７−３１３９７
【特許文献３】特許公開平１０−２７６７３５
【特許文献４】特許公開平９−２９９０５２
【発明の概要】
【発明が解決しようとする課題】
【０００４】
これまでにあった冷凍ソースの形状はペレット状や細かい粉状、または個体、どのような形状であっても
何らかの方法で加熱処理を施し、その後調理や調味に使用されるものであった。
【課題を解決するための手段】
【０００５】
冷凍ソースフレークは、液体に油脂分やゼラチンや寒天などを加え、冷凍乳化させることで、冷凍後のソースの粉砕が非常に簡単になり、また細かい粒や粉状に形成されるためそのまま食材にふりかけるだけで、常温で迅速に溶けていき非常に冷たい料理を提供することが可能になるものである。
【発明の効果】
【０００６】
調理や調味の際に、食材に対して冷凍状態の冷凍ソースフレークを用いるだけで冷たく、また好みの味の濃度を容易に作り上げることが可能になる。
【発明を実施するための形態】
【０００７】
液体に油脂分を加え、攪拌すると乳化状態となる。この攪拌→乳化→冷凍を冷凍させながら繰り返すことにより、冷凍固形物は全体に油脂分と空気が入った状態の冷凍固形物となる。液体の濃度によってはゼラチンや寒天、または澱粉,小麦粉、乳製品などであらかじめ濃度を付けることによって乳化冷凍状態を更に容易に作り出すことができる。この冷凍固形物を機械やハンマー状のもので粉砕、攪拌することにより容易に細かい粒、または粉状のソースフレークを作ることができる。また細かく切った具材などをこの中に加え一緒にフレークや粒状にすることも可能である。
【実施例】
【０００８】
トマトソースに調味料などと一緒に油脂分を加えて、機械や手作業などで、攪拌、乳化、冷凍を繰り返して行き、作られた冷凍固形物を粉砕、攪拌して出来た冷凍ソースフレークを茹でたパスタを冷水などで冷やし、その上にかけるだけで冷たいパスタが出来上がったり、生の魚介類の上にそのままふりかけてカルパッチョなどの料理に用いたり、ゆで肉などを冷やしたものの上に振りかけてソースとしたり、お豆腐の上に振りかけて洋風の冷奴などを作ることができる。
【産業上の利用可能性】
【０００９】
近年、需要の高い冷たい料理を調理のエネルギー使用並びに労力を少なくしつつ、
容易に作り出すことができ、調理時間の短縮並びに調理の簡素化を実現できる。
【符号の説明】
【００１０】
特にありません。
【手続補正書】
【提出日】平成24年12月13日(2012.12.13)
【手続補正１】
【補正対象書類名】特許請求の範囲
【補正対象項目名】請求項１
【補正方法】変更
【補正の内容】
【請求項１】
液体に油脂分を加えたあと、この攪拌→乳化→冷凍を冷凍させながら繰り返して得られる、は全体に油脂分と空気が入った状態の冷凍固形物を機械やハンマー上のもので粉砕、攪拌することにより得られる粉状のソースフレーク。
【手続補正書】
【提出日】平成25年4月11日(2013.4.11)
【手続補正１】
【補正対象書類名】特許請求の範囲
【補正対象項目名】請求項１
【補正方法】変更
【補正の内容】
【請求項１】
液体に油脂分を加えたあと、攪拌→乳化→冷凍を冷凍させながら繰り返して得られる、全体に油脂分と空気が入った状態の冷凍固形物を機械やハンマー状のもので粉砕、攪拌することにより得られる粉状のソースフレーク。
(57)【要約】【課題】  ビールまたは発泡酒の製造工程で生じるビール酵母粕を用い、比較的簡単な工程で製造可能で、しかも付加価値の高いものを提供する。【解決手段】  牛、豚、鳥などの食肉用の動物の心臓、肝臓、腸などの内臓と、ビールまたは発泡酒の製造工程で生じるビール酵母粕の混合物を、容器に密封し、３日間程度、発酵、熟成させることにより、柔らかく、独特の食味を有する食品が、得られる。発酵、熟成の際に、ビール酵母、糖分の少なくともいずれかを加えることも可能である。【選択図】図１
2014054241.tif 000002
【特許請求の範囲】
【請求項１】
食肉用の動物の内臓から選ばれる少なくとも１種と、ビールまたは発泡酒の製造工程で生じるビール酵母粕の混合物を発酵、熟成させて得られることを特徴とする食品。
【請求項２】
前記混合物に、ビール酵母、糖分の少なくとも１種を添加してなることを特徴とする、請求項１に記載の食品。
【請求項３】
食肉用の動物の内臓から選ばれる少なくとも１種に、ビールまたは発泡酒の製造工程で生じるビール酵母粕を混合した混合物を、密封容器に充填し、３日間以上保存して発酵、熟成する工程を有することを特徴とする、請求項１に記載の食品の製造方法。
【請求項４】
前記混合物に、ビール酵母、糖分の少なくとも１種を添加した後、３日間以上保存して発酵、熟成する工程を有することを特徴とする、請求項３に記載の食品の製造方法。
【請求項５】
前記糖分は、果実の搾り汁を含むことを特徴とする、請求項４に記載の食品の製造方法。
【発明の詳細な説明】
【技術分野】
【０００１】  本発明は、ビールまたは発泡酒の製造工程で生じる、ビール酵母粕（以下、沈殿物と記す）の再利用方法、特に食品の製造に利用する方法に関するものである。
【背景技術】
【０００２】  近年、ビールや発泡酒の消費量が増加し、その製造工程で生じる沈殿物も増加している。これは産業廃棄物として処理されるが、処理のためのコストが無視できないため、様々な利用方法が検討されている。【０００３】  例えば特許文献１には、沈殿物に家畜の糞を混合して発酵させ、有機質の肥料を得る方法が開示されている。また、特許文献２には、サトウキビの搾り粕である、バガスなどと沈殿物を混合して発酵させ、家畜の粗飼料とする方法が開示されている。しかし、これらは、商品としての付加価値の観点で改善の余地がある。【０００４】  一方、特許文献３及び特許文献４には、沈殿物に抽出処理や、発酵処理を施すことで、有用成分であるセラミドを得る方法が開示されている。これらにおいては、得られる製品の付加価値は高いが、製造工程の煩雑さの点で改善の余地がある。
【先行技術文献】
【特許文献】
【０００５】
【特許文献１】  特開２００４−０３５２７７号公報
【特許文献２】  特開２００７−０１４２４２号公報
【特許文献３】  特開２００７−０８２４２７号公報
【特許文献４】  特開２００９−１１２２３４号公報
【発明の概要】
【発明が解決しようとする課題】
【０００６】  本発明の課題は、前記の問題に鑑み、沈殿物を用いた製品で、比較的簡単な工程で製造可能で、しかも付加価値の高いものを提供することにある。
【課題を解決するための手段】
【０００７】  本発明は、沈殿物を肥料や家畜の飼料以外の、食品に応用することを検討した結果なされたものである。【０００８】  即ち、本発明は、牛、豚、鳥などの食肉用の動物の内臓から選ばれる少なくとも１種と、ビールまたは発泡酒の製造工程で生じるビール酵母粕の混合物を発酵、熟成させて得られることを特徴とする食品であり、前記混合物に、ビール酵母、糖分の少なくともいずれかを加えることも可能である。【０００９】  また本発明は、牛、豚、鳥などの食肉用の動物の内臓から選ばれる少なくとも１種に、ビールまたは発泡酒の製造工程で生じるビール酵母粕を混合した混合物を、密封容器に充填し、３日間以上保存して発酵、熟成した後、水洗することを特徴とする、前記の食品の製造方法であり、発酵熟成工程の際に、ビール酵母、糖分の少なくともいずれかを加えることも可能である。
【発明の効果】
【００１０】  焼肉屋などで供されるホルモンと称する食品は、通常は硬くて咀嚼するのに時間がかかり、歯が弱い高齢者などには向かないが、本発明による、牛、豚、鳥の内臓を処理してなる食品は、発酵、熟成工程により、柔らかな食感を呈し、しかもビールや発泡酒に含まれるホップに由来する適度な苦みがあって、絶味を呈する。【００１１】  また、牛、豚、鳥に内蔵で食用に供される主なものは、心臓、肝臓、腸などであるが、本発明に用いられる内臓としては、特に部位を選ばず、美味で食べ易いものが得られる。
【図面の簡単な説明】
【００１２】
【図１】  本発明の食品の製造工程を示すフローチャート。
【発明を実施するための形態】
【００１３】  次に本発明の実施の形態について説明する。図１は、本発明の食品の製造工程を示すフローチャートである。ここで用いる牛、豚、鳥の内臓は、沈殿物の成分や加える糖分などの内部への浸透や、パック詰め作業を考慮して、例えば５ｃｍ以下の、適当な大きさに切断するのが望ましい。また、内臓と沈殿物の配合比は、特に限定されないが内臓の種類によって、内臓が１００重量部に対して、沈殿物が２０〜６０重量部程度である。
【００１４】  発酵容器に充填する際には、食味の調整のために、糖分やビール酵母を加えることも可能である。糖分としては、一般的な砂糖でもよいが、イチゴ、リンゴ、レモンなどの果実の搾り汁を用いると、それぞれ独特の食味を有する製品が得られる。その添加量も特に限定されないが、１００重量部の内臓に対して、１０重量部程度が適当である。
【００１５】  これらを容器に密封して保存し、発酵熟成させるが、その時間は３日程度で、季節による温度変化により適宜調整する。その後は、沈殿物を水で洗い流し、真空パックに充填し冷凍保存する。このようにして得られた食品は、解凍して焼くだけで食べることができる。
【００１６】  以上に説明したように、本発明によれば、牛、豚、鳥などの内臓をビール酵母粕により発酵熟成した食品が得られ、ビール酵母粕の用途拡大に寄与することができる。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【図１】
2014054241.tif 000003
(57)【要約】【課題】結露した水分が机にこぼれない為に、コースターを使用していたが、コースター自体には吸水しないものが多く、グラスコップや缶飲料等は結露した水分が表面につき、飲む際に手を濡らしたり、周囲に水分を付けたりしてしまっていた。また、缶飲料を温めて飲む場合、缶が熱くて持てない場合があった。また、コースターは立体的でない為、表面に広告を載せる程度しかできなかった。本発明は、こうした時に有効となる立体コースターを提供する。【解決手段】筒状に形成された立体コースターの底面部には、水滴を受ける受け底部を設け、内部には、水分が外部へこぼれないように水受けを設け、該立体コースター上部内壁にゴムシートを取り付け、ゴムシートには水滴を内部へ案内する溝を複数カ所設けた立体コースター。また、コースターの外側にシールを貼ったり、立体的なデザインを設けることでコースターを使用した広告を行うことを可能にした立体コースター。【選択図】図１
2014054503.tif 000002
【特許請求の範囲】
【請求項１】
筒状に形成された立体コースターの底面部には、水滴を受ける受け底部を設け、内部には、水分が外部へこぼれないように水受けを設け、該立体コースター上部内壁にゴムシートを取り付け、ゴムシートには水滴を内部へ案内する溝を複数カ所設けた立体コースター。
【請求項２】
コースターの外側にシールを貼って、コースターを使用した広告を行うことを可能にした請求項１のコースター。
【請求項３】
筒状の立体コースターの外観を、立体的に施したことでコースターを使用した広告を行うことを可能にした請求項１のコースター。
【発明の詳細な説明】
【技術分野】
【０００１】  本発明は、飲料用の立体コースターに関するものである。
【背景技術】
【０００２】  従来、コースターは平らな板状のもので、その上にグラスコップや缶飲料、ペットボトル等を置いていた。また、コースター表面に社名や広告を掲載していた。
その他従来例として、結露した水分が衣服などを濡らさないために、コースターと飲料を固定するものや（特許文献１）や、コースターで飲料を巻きつけるもの（特許文献２）があり、さらには、飲料が転倒しないようにするもの（特許文献３）が知られていた。
【先行技術文献】
【特許文献】
【０００３】
【特許文献１】特開２０１２−５５６５１号公報
【特許文献２】特開２０１１−１４７７４２号公報
【特許文献３】特開２００５−２６３２４９号公報
【発明の概要】
【発明が解決しようとする課題】
【０００４】  特に冷たいグラスコップや缶飲料は缶が結露し、その缶を持つと手が濡れてしまう場合がある。また、コースターの上が濡れてしまい周囲を濡らしてしまうことがあった。また、熱い飲み物の場合はグラスコップや缶が熱く、しばらくは素手で持てない場合があった。
本発明は、以上の問題点を解決するためになされたものである。
また、従来のコースター表面に会社や商品の広告を掲載しても、結露した水がついて文字が見づらくなり、また持ち帰るものではないので、広告手段としては弱かった。
本発明は、以上の問題点も解決するためになされたものである。
【課題を解決するための手段】
【０００５】  筒状に形成された立体コースターの底面部には、水滴を受ける受け底部を設け、内部には、水分が外部へこぼれないように水受けを設け、該立体コースター上部内壁にゴムシートを取り付け、ゴムシートには水滴を内部へ案内する溝を複数カ所設けることで、手や周囲を濡らさない状況を可能にした。
また、コースターの外側にシールを貼ったり、立体的なデザインを設けることでコースターを使用した広告を行うことを可能にした。
【発明の効果】
【０００６】  従来、机に飲み物を置く際、結露してしまうと机が濡れてしまうのでコースターを使用していた。ただし、コースターによって、机には水滴がこぼれないが、グラスコップや缶を持つと手に結露の水分がついてしまったり、コースター上に水滴が残り周囲を濡らしてしまったりということがあった。本発明により、手に結露した水分がつくことがなくなり、また結露した水分はコースターの内部へ流れるので周囲を濡らさなくなる状況を可能とした。また、熱い飲み物の場合も、直接グラスコップや缶に触らないのでやけどの心配もない状況を可能とした。
さらに、立体コースターの外側には会社名や商品の広告を掲載したシールを貼ったり、立体的なデザインを設けたりすることで、会社名や商品の告知を十分に行うことを可能にした。
【図面の簡単な説明】
【０００７】
【図１】本発明の斜視図
【図２】本発明のＡ−Ａ’縦断面図
【図３】本発明の缶飲料を入れた状態の斜視図
【図４】本発明の広告シールを貼った状態の正面図
【図５】本発明の立体的なデザインを設けた状態の正面図
【発明を実施するための形態】
【０００８】  以下、本発明の実施の形態を説明する。
（イ）  筒状に形成されたブラスチック等の立体コースター（１）の内部の底面部には      結露した水分を受ける底（２）を設ける。
（ロ）  立体コースター（１）の上部内側にはグラスコップや缶飲料が滑り落ちるのを      防ぎ固定するためにゴムのシート（３）を巻きつける。
（ハ）  立体コースター（１）の上部内側のゴムのシート（３）には結露した水分を中      へ取り込む複数の溝（４）を設ける。
（ニ）  立体コースター（１）の内側には、立体コースターを倒しても結露した水分が      外へこぼれないように水受け（５）を設ける。
（ホ）  立体コースター（１）の上部内側にたとえば缶飲料（６）をはめ込み固定する      。こうすることにより、立体コースターの内部には空気の層が構成され立体コース      ター外部への熱伝導を抑える層が構成され、立体コースター自体の表面の結露を防      ぎ、熱い飲料でも立体コースターを持って飲むことを可能にする。
（ヘ）  立体コースター（１）の外側表面にはシールを貼ったり、立体的なデザインを      設ける。
本発明は以上のような構造である。
【０００９】  本発明を使用する時は、グラスコップや缶飲料（６）を立体コースター（１）へ差し込み装着して使用する。立体コースター（１）を持って飲料を飲むことで、手に結露した水分がつくことがなく飲むことが出来る。結露した水分は、立体コースター内部の底面部の底（２）にたまり、飲む際には立体コースターが横になることで水分は流れ出すが、水受け（５）に引っ掛かり、外に水分が漏れることはない。また、缶飲料を熱し、熱くなっている場合でも立体コースターを持って飲むことでやけどせずに飲むことが出来る。飲み終わったら、立体コースターからグラスコップや缶を取り外し、結露した水分を蒸発させたり、洗浄乾燥させ再利用する。
【符号の説明】
【００１０】１．立体コースター、２．水分を受ける底、３．ゴムシート、
４．ゴムシートの溝、５．水受け、６．缶飲料
【図１】
2014054503.tif 000003
【図２】
2014054503.tif 000004
【図３】
2014054503.tif 000005
【図４】
2014054503.tif 000006
【図５】
2014054503.tif 000007
(57)【要約】      （修正有）【課題】樹脂玉を用いないで製品化の容易なウイルス捕捉部のあるウイルス捕捉フィルターを提供する。【解決手段】ウイルス捕捉フィルターは通気遮断布２でアルファ化米を詰めたウイルス捕捉部４と鼻を包み、ウイルス捕捉部４と鼻の両脇をクッション３、５で押さえ、前面、側面、上部隙間からの呼気の侵入を阻止し、ウイルス捕捉部４下面に袋状防塵濾過フィルター１を設け、ウイルス捕捉部４下面より出入りする呼気が、濾過された後、ウイルス捕捉部４を通過する構造とする。【選択図】図１
2014054501.tif 000002
【特許請求の範囲】
【請求項１】
通気遮断布でアルファ化米およそ１５ｃｃを詰めたウイルス捕捉部と鼻を包み、ウイルス捕捉部と鼻の両脇をクッションで押え、前面、側面、上部隙間からの呼気の侵入を阻止し、ウイルス捕捉部下面に袋状防塵濾過フィルターを設け、ウイルス捕捉部下面より出入りする呼気が、濾過された後、ウイルス捕捉部を通過する構造とするウイルス捕捉フィルター。
【発明の詳細な説明】
【技術分野】
【０００１】  インフルエンザ等、空気感染を防ぐマスク。
【先行技術文献】
【特許文献】
【０００２】
【特許文献１】特開２０１１−１１０３１
【発明の概要】
【発明が解決しようとする課題】
【０００３】  特願２０１１−１３３６８９のウイルス捕捉フィルターではウイルス捕捉部に樹脂玉集合体を用いていたが、樹脂を滲みこませた木玉を作るのが容易ではなかった。
【課題を解決するための手段】
【０００４】  アルファ化米でも同様の効果が得られるので、アルファ化米１５ｃｃをガーゼの袋に詰めたものをウイルス捕捉部とする。
【発明の効果】
【０００５】  ウイルス捕捉フィルターの製品化が容易になる。
【発明を実施するための最良の形態】
【０００６】  ガーゼの袋の内側の寸法はおよそ横３５ミリメートルとする。
【図面の簡単な説明】
【０００７】
【図１】ウイルス捕捉フィルターの概略図
【図１】
2014054501.tif 000003